(57)【要約】【課題】製造し易い電池パックを提供する。【解決手段】スペーサ３０，４０，５０は、収納ケース２０の一方端側壁部２１ｂに沿って一方端側壁部２１ｂの上端側から下端側に延びる板状の本体部３１，４１，５１と、本体部３１，４１，５１の上端側から一方端側壁部２１ｂが位置する側に延びる延出部３２，４２，５２とを有する。延出部３２，４２，５２を、一方端側壁部２１ｂのうち上端側に位置する部位、または、一方端側壁部２１ｂ側に隣接する他のスペーサのうち上端側に位置する部位、に掛けると共に、本体部３１，４１，５１を、一方端側壁部２１ｂに接触させた状態、または、一方端側壁部２１ｂ側に隣接する他のスペーサの本体部３１，４１に接触させた状態で、収納ケース２０内に配置されている。【選択図】図１
2020077530.tif 000002
【特許請求の範囲】
【請求項１】
列置方向に一列に列置された複数の電池を有する電池スタックと、
前記電池スタックを収納する収納ケースと、
前記収納ケース内に配置された１または複数のスペーサであって、前記電池スタックのうち前記列置方向の一方端側に位置する一方端部と、前記収納ケースの壁部のうち前記列置方向の一方端側に位置する一方端側壁部と、の間に介在する１または複数のスペーサと、を備える
電池パックであって、
前記スペーサは、
前記収納ケースの前記一方端側壁部に沿って前記一方端側壁部の上端側から下端側に延びる板状の本体部と、
前記本体部の上端側から前記一方端側壁部が位置する側に延びる延出部と、を有し、
前記延出部を、前記一方端側壁部のうち前記上端側に位置する部位、または、前記一方端側壁部側に隣接する他の前記スペーサのうち上端側に位置する部位、に掛けると共に、前記本体部を、前記一方端側壁部に接触させた状態、または、前記一方端側壁部側に隣接する他の前記スペーサの前記本体部に接触させた状態で、前記収納ケース内に配置されている
電池パック。
【発明の詳細な説明】
【技術分野】
【０００１】
本発明は、電池パックに関する。
【背景技術】
【０００２】
特許文献１には、列置方向に一列に列置された複数の電池を有する電池スタックと、この電池スタックを収納する収納ケースとを備える電池パックが開示されている。
【先行技術文献】
【特許文献】
【０００３】
【特許文献１】特開２０１４−１０２９３９号公報
【０００４】
特許文献１には、以下のような電池パックを製造する方法が開示されている。具体的には、まず、収納ケース内に、複数の電池を列置方向に一列に列置しつつ収納する。但し、列置方向に隣り合う電池の間、収納ケースの一方端側壁部と電池との間、及び、収納ケースの他方端側壁部と電池との間に、隙間を設けるようにして、複数の電池を収納ケース内に配置する。その後、列置方向に隣り合う電池の間の隙間、収納ケースの一方端側壁部と電池との間の隙間、及び、収納ケースの他方端側壁部と電池との間の隙間に、中間部材を挿入する。このようにして、列置方向に一列に列置された複数の電池と中間部材とを有する電池スタックが形成されると共に、当該電池スタックが収納ケース内に収納された電池パックが製造される。
【発明の概要】
【発明が解決しようとする課題】
【０００５】
ところで、電池パックとして、列置方向に一定の（規定の）拘束荷重がかけられた状態の電池スタックを有する電池パックが求められている。このため、電池スタックに対し列置方向に一定の拘束荷重をかけた状態で、電池スタックを収納ケース内に収納し、電池スタックに対し列置方向に一定の拘束荷重がかかった状態の電池パックを製造することが求められている。しかしながら、電池スタックを構成する電池には、列置方向寸法（厚み）に少なからずバラツキ（製造誤差）があるため、複数の電池が列置方向に列置された前記電池スタックでは、列置方向寸法にバラツキが生じてしまうことがある。
【０００６】
このため、列置方向に一定の（規定の）拘束荷重がかけられた状態の電池スタックを有する電池パックを製造するために、以下のような製造方法が検討されている。具体的には、まず、収納ケースとして、列置方向にかかる内側寸法Ｂが、電池の寸法バラツキを考慮した想定され得る電池スタックの列置方向寸法の最大値よりも大きな収納ケースを用意する。また、収納ケース内に配置する板状のスペーサであって、電池スタックと収納ケースとの間の隙間を埋めるためのスペーサを多数用意する。但し、スペーサとして、異なる厚み（列置方向寸法）を有する複数種類のスペーサを用意する。
【０００７】
そして、拘束荷重付与装置等を用いて、列置方向に一列に列置された複数の電池を有する電池スタックに対し、列置方向に一定の拘束荷重をかけ、この状態を保持する。さらに、電池スタックを収納ケース内に収納するのに先立って、列置方向に一定の拘束荷重がかけられた状態の電池スタックについて、列置方向の寸法Ａ（収納ケース内に配置される部位の列置方向寸法）を測定し、収納ケースの列置方向にかかる内側寸法Ｂから電池スタックの列置方向の寸法Ａを差し引いた差分値Ｃ（＝Ｂ−Ａ）を算出する。そして、多数のスペーサの中から、合計の厚み（列置方向寸法）が差分値Ｃとなる１または複数のスペーサを選択し、電池スタックを収納ケース内に収納するのに先立って、収納ケース内に選択したスペーサを配置する。例えば、１つのスペーサを収納ケースの一方端側壁部に接触させるようにして、選択したスペーサを収納ケースの一方端側壁部側に重ねて配置する。
【０００８】
この状態で、スペーサと収納ケースの他方端側壁部との間に電池スタックが挟まれるように、拘束荷重付与装置等によって列置方向に一定の拘束荷重がかけられている状態の電池スタックを、収納ケース内に収納する。その後、拘束荷重付与装置等による電池スタックへの拘束荷重の付与を解放する。このようにすることで、列置方向に一定の拘束荷重がかけられた状態の電池スタックを有する電池パックを製造することができる。
【０００９】
しかしながら、上述の製造方法では、収納ケース内にスペーサを配置した状態で、電池スタックを収納ケース内に収納する際に、スペーサが倒れてしまうことがあり、スムーズに電池パックを製造できないことがあった。このため、電池スタックを収納ケース内に収納する際に、スペーサが倒れることを防止してスムーズに電池スタックを収納ケース内に収納することができるように、製造し易い電池パックが求められていた。
本発明は、かかる現状に鑑みてなされたものであって、製造し易い電池パックを提供することを目的とする。
【課題を解決するための手段】
【００１０】
本発明の一態様は、列置方向に一列に列置された複数の電池を有する電池スタックと、前記電池スタックを収納する収納ケースと、前記収納ケース内に配置された１または複数のスペーサであって、前記電池スタックのうち前記列置方向の一方端側に位置する一方端部と、前記収納ケースの壁部のうち前記列置方向の一方端側に位置する一方端側壁部と、の間に介在する１または複数のスペーサと、を備える電池パックであって、前記スペーサは、前記収納ケースの前記一方端側壁部に沿って前記一方端側壁部の上端側から下端側に延びる板状の本体部と、前記本体部の上端側から前記一方端側壁部が位置する側に延びる延出部と、を有し、前記延出部を、前記一方端側壁部のうち前記上端側に位置する部位、または、前記一方端側壁部側に隣接する他の前記スペーサのうち上端側に位置する部位、に掛けると共に、前記本体部を、前記一方端側壁部に接触させた状態、または、前記一方端側壁部側に隣接する他の前記スペーサの前記本体部に接触させた状態で、前記収納ケース内に配置されている電池パックである。
【００１１】
上述の電池パックは、列置方向に一列に列置された複数の電池を有する電池スタックと、電池スタックを収納する収納ケースと、収納ケース内に配置された１または複数のスペーサとを備える。このうち、１または複数のスペーサは、電池スタックの一方端部と収納ケースの一方端側壁部との間に介在している。なお、電池スタックの一方端部とは、電池スタックのうち列置方向の一方端側に位置する端部である。また、収納ケースの一方端側壁部とは、収納ケースの壁部のうち列置方向の一方端側に位置する壁部である。さらに、１または複数のスペーサは、収納ケースの一方端側壁部に沿って一方端側壁部の上端側から下端側に延びる板状の本体部と、この本体部の上端側から一方端側壁部が位置する側に延びる延出部とを有する。
【００１２】
さらに、上述の電池パックでは、１または複数のスペーサが、延出部を、収納ケースの一方端側壁部のうち上端側に位置する部位、または、一方端側壁部側に隣接する他のスペーサのうち上端側に位置する部位、に掛ける（引っ掛ける）と共に、本体部を、一方端側壁部に接触させた状態、または、一方端側壁部側に隣接する他のスペーサの本体部に接触させた状態で、収納ケース内に配置されている。
【００１３】
すなわち、上述の電池パックにおいて、１つの電池スタックについて１つのスペーサが設けられている場合は、当該スペーサの延出部を、収納ケースの一方端側壁部の上端側に位置する部位に掛ける（引っ掛ける）と共に、当該スペーサの本体部を一方端側壁部に接触させた状態で、当該スペーサが収納ケース内に配置されている。また、１つの電池スタックについて複数のスペーサが設けられている場合は、複数のスペーサのうち最も一方端側壁部側に配置されているスペーサ（第１スペーサとする）が、その延出部を、収納ケースの一方端側壁部の上端側に位置する部位に掛ける（引っ掛ける）と共に、その本体部を一方端側壁部に接触させた状態で、収納ケース内に配置されている。さらには、複数のスペーサのうち第１スペーサとは異なる他のスペーサが、各々の延出部を、一方端側壁部側に隣接する他のスペーサのうち上端側に位置する部位に掛ける（引っ掛ける）と共に、各々の本体部を、一方端側壁部側に隣接する他のスペーサの本体部に接触させた状態で、収納ケース内に配置されている。
【００１４】
このような構成の電池パックは、製造し易い電池パックとなっている。具体的には、以下のようにして製造することで、収納ケース内に電池スタックを収納する際に、スペーサが倒れてしまう不具合を防止することができる。例えば、まず、収納ケース内に、１または複数のスペーサを配置する。但し、このとき、１または複数のスペーサについて、延出部を、収納ケースの一方端側壁部の上端側に位置する部位、または、一方端側壁部側に隣接する他のスペーサのうち上端側に位置する部位、に掛ける（引っ掛ける）と共に、本体部が、一方端側壁部に接触した状態、または、一方端側壁部側に隣接する他のスペーサの本体部に接触した状態になるようにして、収納ケース内に配置する。
【００１５】
すなわち、１つの電池スタックについて１つのスペーサを設ける場合は、当該スペーサの延出部を、収納ケースの一方端側壁部の上端側に位置する部位に掛ける（引っ掛ける）と共に、当該スペーサの本体部が一方端側壁部に接触した状態になるようにして、当該スペーサを収納ケース内に配置する。また、１つの電池スタックについて複数のスペーサを設ける場合は、複数のスペーサのうち最も一方端側壁部側に配置するスペーサ（第１スペーサとする）について、その延出部を、収納ケースの一方端側壁部の上端側に位置する部位に掛ける（引っ掛ける）と共に、その本体部が一方端側壁部に接触した状態になるようにして、収納ケース内に配置する。さらには、複数のスペーサのうち第１スペーサとは異なる他のスペーサについて、各々の延出部を、一方端側壁部側に隣接する他のスペーサのうち上端側に位置する部位に掛ける（引っ掛ける）と共に、各々の本体部が、一方端側壁部側に隣接する他のスペーサの本体部に接触した状態になるようにして、収納ケース内に配置する。このようにして、複数のスペーサを、収納ケースの一方端側壁部側に重ねて配置する。
【００１６】
このようにスペーサを配置することで、各々のスペーサが倒れること（詳細には、一方端側壁部が位置する側とは反対側に倒れること）を防止することができる。収納ケースの一方端側壁部の上端側に位置する部位、または、一方端側壁部側に隣接する他のスペーサのうち上端側に位置する部位、に掛けられている（引っ掛けられている）スペーサの延出部が、スペーサの倒れを防止する働きをするからである。
【００１７】
このような状態で、スペーサ（複数のスペーサを配置した場合は、複数のスペーサのうち列置方向について最も一方端側壁部から離間して配置されたスペーサ）と、収納ケースの他方端側壁部との間に電池スタックが挟まれるようにして、当該電池スタックを収納ケース内に収納することで、収納ケース内のスペーサが倒れることを防止しつつ、スムーズに、電池スタックを収納ケース内に収納することができる。ここで、収納ケースの他方端側壁部とは、収納ケースの壁部のうち列置方向の他方端側に位置する壁部であって、列置方向について一方端側壁部と対向する部位である。
以上説明したように、上述の電池パックは、製造し易い電池パックとなっている。
【００１８】
なお、上述の電池パックは、電池スタックが収納ケース内に１つ（１列）設けられる場合に限らず、複数（複数列）の電池スタックが、収納ケース内に、列置方向に直交する方向（幅方向）に並んで設けられる場合も含む。
【００１９】
さらに、前記の電池パックであって、前記電池スタックの前記一方端部と前記収納ケースの前記一方端側壁部との間に、複数の前記スペーサを有し、前記スペーサの前記本体部の上端面は、その幅方向について、前記延出部が位置する第１部位と、前記延出部が位置しない第２部位と、を有し、前記スペーサの前記延出部は、その基端部が、前記本体部の上端面の前記第１部位上に位置すると共に、前記基端部から前記本体部の厚み方向に沿って前記一方端側壁部側に真っ直ぐ延びる板状をなし、複数の前記スペーサの前記延出部は、他の前記スペーサの前記延出部に積み重なることなく、他の前記スペーサの前記延出部と前記幅方向の位置が異なっており、複数の前記スペーサのうち前記本体部が前記一方端側壁部側に接触する第１スペーサは、前記延出部の下面を、前記一方端側壁部の上端面に接触させるようにして、前記収納ケース内に配置されており、複数の前記スペーサのうち前記第１スペーサとは異なる他の前記スペーサは、前記延出部の下面を、前記一方端側壁部側に隣接する他の前記スペーサの前記第２部位に接触させるようにして、前記収納ケース内に配置されている電池パックとするのが好ましい。
【００２０】
上述の電池パックは、電池スタックの一方端部と収納ケースの一方端側壁部との間に、複数のスペーサを有している。各々のスペーサの本体部の上端面は、その幅方向（列置方向及び上下方向に直交する方向）について、延出部が位置する（存在する）第１部位と、延出部が位置しない（存在しない）第２部位とを有する。
【００２１】
さらに、各々のスペーサの延出部は、その基端部が、本体部の上端面の第１部位上に位置すると共に、その基端部から本体部の厚み方向に沿って一方端側壁部側に真っ直ぐ延びる板状をなしている。換言すれば、各々のスペーサの延出部は、本体部の厚み方向に沿って一方端側壁部側に、自身の基端部から先端部に向かって真っ直ぐ延びる板状をなしており、各々の延出部の基端部は、本体部の上端面の第１部位上に位置している。
さらに、各々のスペーサの延出部は、他のスペーサの延出部に積み重なることなく、他のスペーサの延出部と幅方向の位置が異なっている。そして、複数のスペーサのうち本体部が一方端側壁部に接触する第１スペーサは、延出部の下面を、一方端側壁部の上端面に接触させるようにして、収納ケース内に配置されている。さらに、複数のスペーサのうち第１スペーサとは異なる他のスペーサは、延出部の下面を、一方端側壁部側に隣接する他のスペーサの第２部位に接触させるようにして、収納ケース内に配置されている。
【００２２】
このようにして、複数のスペーサを、電池スタックの一方端部と収納ケースの一方端側壁部との間に配置することで、各々のスペーサの延出部を他のスペーサの延出部に積み重ねるようにして配置する場合に比べて、スペーサの高さ（スペーサの上端の位置）を低くすることができ、電池パックの高さを低くする（これにより、電池パックを小型化する）ことが可能となる。
【図面の簡単な説明】
【００２３】
【図１】実施形態にかかる電池パックの側面視部分断面概略図である。
【図２】実施形態にかかる複数のスペーサの平面図（上面図）である。
【図３】同複数のスペーサの側面図である。
【図４】同複数のスペーサを重ね合わせた状態の平面図（上面図）である。
【図５】同複数のスペーサを重ね合わせた状態の側面図である。
【図６】電池パックの製造方法を説明する図である。
【図７】電池パックの製造方法を説明する他の図である。
【図８】電池パックの製造方法を説明する他の図である。
【図９】電池パックの製造方法を説明する他の図である。
【図１０】変形形態１にかかる複数のスペーサの平面図（上面図）である。
【図１１】同複数のスペーサの側面図である。
【図１２】同複数のスペーサを重ね合わせた状態の平面図（上面図）である。
【図１３】同複数のスペーサを重ね合わせた状態の側面図である。
【図１４】変形形態２にかかる電池パックの側面図部分拡大断面図である。
【図１５】変形形態３にかかる電池パックの側面図部分拡大断面図である。
【発明を実施するための形態】
【００２４】
（実施形態）
次に、本発明の実施形態について説明する。図１は、実施形態にかかる電池パック１の側面視部分断面概略図である。図２は、実施形態にかかる複数のスペーサ（第１スペーサ３０、第２スペーサ４０、第３スペーサ５０）の平面図（上面図）である。図３は、実施形態にかかる複数のスペーサ（第１スペーサ３０、第２スペーサ４０、第３スペーサ５０）の側面図である。図４は、実施形態にかかる複数のスペーサ（第１スペーサ３０、第２スペーサ４０、第３スペーサ５０）を重ね合わせた状態の平面図（上面図）であり、図１のＥ視拡大図に相当する。図５は、実施形態にかかる複数のスペーサ（第１スペーサ３０、第２スペーサ４０、第３スペーサ５０）を重ね合わせた状態の側面図である。
【００２５】
本実施形態の電池パック１は、図１に示すように、列置方向ＤＬ（図１において左右方向）に一列に列置された複数の電池１１を有する電池スタック１０と、電池スタック１０を収納する収納ケース２０と、収納ケース２０内に配置された複数のスペーサ（第１スペーサ３０、第２スペーサ４０、第３スペーサ５０）とを備える。なお、本実施形態の電池パック１では、収納ケース２０内に、２つ（２列）の電池スタック１０が収納されている。具体的には、図１において紙面に直交する方向（幅方向ＤＷ、図２参照）に、２つの電池スタック１０が並んでいる。
【００２６】
電池スタック１０は、列置方向ＤＬに一列に配置された複数の電池１１と、列置方向ＤＬに隣り合う電池１１の間に介在する冷却板１２と、これらを列置方向ＤＬに挟んで固定するための一対のエンドプレート１３，１４とを備えている（図１参照）。電池１１は、直方体形状をなしている。
また、収納ケース２０は、略矩形箱形状をなしている。この収納ケース２０は、アルミダイキャストによって形成されている。アルミダイキャストの上型を抜くため、収納ケース２０の一方端側壁部２１ｂの内面２１ｊと、収納ケース２０の他方端側壁部２１ｃの内面２１ｋとは、上方に向かうにしたがって（収納ケース２０の底面２０ｂから離間するにしたがって）、両者の間の距離（列置方向ＤＬの距離）が拡がる形態のテーパ面（傾斜面）となっている（図１参照）。
【００２７】
すなわち、一方端側壁部２１ｂの内面２１ｊは、上方に向かうにしたがって列置方向ＤＬの一方端側ＤＬ１（図１において右側）に変位する形態の傾斜面となっている。詳細には、本実施形態では、一方端側壁部２１ｂの内面２１ｊは、鉛直方向（底面２０ｂに垂直な方向）に対して、１．５度だけ、列置方向ＤＬの一方端側ＤＬ１（図１において右側）に傾いた傾斜面となっている。
また、他方端側壁部２１ｃの内面２１ｋは、上方に向かうにしたがって列置方向ＤＬの他方端側ＤＬ２（図１において左側）に変位する形態の傾斜面となっている。詳細には、本実施形態では、他方端側壁部２１ｃの内面２１ｋは、鉛直方向（底面２０ｂに垂直な方向）に対して、１．５度だけ、列置方向ＤＬの他方端側ＤＬ２（図１において左側）に傾いた傾斜面となっている。
【００２８】
なお、収納ケース２０の一方端側壁部２１ｂとは、収納ケース２０の壁部２１のうち列置方向ＤＬの一方端側ＤＬ１（図１において右側）に位置する壁部２１である。また、収納ケース２０の他方端側壁部２１ｃとは、収納ケース２０の壁部２１のうち列置方向ＤＬの他方端側ＤＬ２（図１において左側）に位置する壁部２１であって、列置方向ＤＬについて一方端側壁部２１ｂと対向する部位である。
【００２９】
また、電池スタック１０の他方端部１０ｃの外面１０ｋ（具体的には、エンドプレート１４の外面１４ｋ）は、他方端側壁部２１ｃの内面２１ｋと同様に、上方に向かうにしたがって列置方向ＤＬの他方端側ＤＬ２（図１において左側）に変位する形態の傾斜面（他方端側壁部２１ｃの内面２１ｋと同等の傾斜角の傾斜面）となっている。これにより、電池スタック１０を収納ケース２０内に収納したとき、電池スタック１０の他方端部１０ｃの外面１０ｋ（具体的には、エンドプレート１４の外面１４ｋ）を、隙間無く、収納ケース２０の他方端側壁部２１ｃの内面２１ｋに接触させた状態にすることができる。
また、電池スタック１０の一方端部１０ｂの外面１０ｊ（具体的には、エンドプレート１３の外面１３ｊ）は、一方端側壁部２１ｂの内面２１ｊと同様に、上方に向かうにしたがって列置方向ＤＬの一方端側ＤＬ１（図１において右側）に変位する形態の傾斜面（一方端側壁部２１ｂの内面２１ｊと同等の傾斜角の傾斜面）となっている。
【００３０】
複数のスペーサ（第１スペーサ３０、第２スペーサ４０、第３スペーサ５０）は、電池スタック１０の一方端部１０ｂと収納ケース２０の一方端側壁部２１ｂとの間に介在している。なお、電池スタック１０の一方端部１０ｂとは、電池スタック１０のうち列置方向ＤＬの一方端側ＤＬ１（図１において右側）に位置する端部である。
【００３１】
このうち、第１スペーサ３０は、図１〜図３に示すように、収納ケース２０の一方端側壁部２１ｂの内面２１ｊに沿って一方端側壁部２１ｂの上端側（上端面２１ｆ側）から下端側（下端面２１ｇ側）に延びる平板状の本体部３１と、この本体部３１の上端側（上端面３１ｂ）から一方端側壁部２１ｂが位置する側（図１において右側）に延びる平板状の延出部３２とを有する。なお、本実施形態では、２つの延出部３２が、幅方向ＤＷに離間して、本体部３１の上端面３１ｂに設けられている（図２参照）。この第１スペーサ３０は、２つの延出部３２を、収納ケース２０の一方端側壁部２１ｂの上端側に位置する部位（上端面２１ｆ）に掛ける（引っ掛ける）と共に、本体部３１を、一方端側壁部２１ｂの内面２１ｊに接触させた状態で、収納ケース２０内に配置されている。
【００３２】
また、第２スペーサ４０は、図１〜図３に示すように、収納ケース２０の一方端側壁部２１ｂの内面２１ｊに沿って一方端側壁部２１ｂの上端側から下端側に延びる平板状の本体部４１と、この本体部４１の上端側（上端面４１ｂ）から一方端側壁部２１ｂが位置する側（図１において右側）に延びる平板状の延出部４２とを有する。なお、本実施形態では、２つの延出部４２が、幅方向ＤＷに離間して、本体部４１の上端面４１ｂに設けられている（図２参照）。この第２スペーサ４０は、２つの延出部４２を、一方端側壁部２１ｂ側（図１において右側）に隣接する第１スペーサ３０のうち上端側に位置する部位（本体部３１の上端面３１ｂ）と収納ケース２０の一方端側壁部２１ｂの上端側に位置する部位（上端面２１ｆ）とに掛ける（引っ掛ける）と共に、本体部４１を、一方端側壁部２１ｂ側（図１において右側）に隣接する第１スペーサ３０の本体部３１に接触させた状態で、収納ケース２０内に配置されている。
【００３３】
また、第３スペーサ５０は、図１〜図３に示すように、収納ケース２０の一方端側壁部２１ｂの内面２１ｊに沿って一方端側壁部２１ｂの上端側から下端側に延びる平板状の本体部５１と、この本体部５１の上端側（上端面５１ｂ）から一方端側壁部２１ｂが位置する側（図１において右側）に延びる平板状の延出部５２とを有する。なお、本実施形態では、２つの延出部５２が、幅方向ＤＷに離間して、本体部５１の上端面５１ｂに設けられている（図２参照）。この第３スペーサ５０は、２つの延出部５２を、一方端側壁部２１ｂ側（図１において右側）に隣接する第２スペーサ４０のうち上端側に位置する部位（本体部４１の上端面４１ｂ）と第１スペーサ３０のうち上端側に位置する部位（本体部３１の上端面３１ｂ）とに掛ける（引っ掛ける）と共に、本体部５１を、一方端側壁部２１ｂ側（図１において右側）に隣接する第２スペーサ４０の本体部４１に接触させた状態で、収納ケース２０内に配置されている。
【００３４】
なお、第３スペーサ５０の本体部５１の内面５１ｊは、電池スタック１０の一方端部１０ｂの外面１０ｊ（具体的には、エンドプレート１３の外面１３ｊ）に接触している。本体部５１の内面５１ｊは、第３スペーサ５０の本体部５１が収納ケース２０内に配置された状態で、上方に向かうにしたがって列置方向ＤＬの一方端側ＤＬ１（図１において右側）に変位する形態の傾斜面となっている。詳細には、第３スペーサ５０の本体部５１の内面５１ｊは、本体部５１が収納ケース２０内に配置された状態で、電池スタック１０の一方端部１０ｂの外面１０ｊ（具体的には、エンドプレート１３の外面１３ｊ）と同等の傾斜面となっている。これにより、電池スタック１０を収納ケース２０内に収納したとき、電池スタック１０の一方端部１０ｂの外面１０ｊ（具体的には、エンドプレート１３の外面１３ｊ）を、隙間無く、第３スペーサ５０の本体部５１の内面５１ｊに接触させた状態にすることができる。
【００３５】
また、本実施形態の電池パック１では、電池スタック１０に対し、列置方向ＤＬに規定の（一定の）拘束荷重（圧縮荷重）がかけられた状態となっている。具体的には、電池スタック１０の一方端部１０ｂが第３スペーサ５０によって列置方向ＤＬの他方端側ＤＬ２（図１において左側）に押圧されると共に、電池スタック１０の他方端部１０ｃが収納ケースの他方端側壁部２１ｃによって列置方向ＤＬの一方端側ＤＬ１（図１において右側）に押圧される態様で、電池スタック１０に対し、列置方向ＤＬに規定の（一定）の拘束荷重（圧縮荷重）が付加されている。
なお、電池スタック１０の他方端部１０ｃとは、電池スタック１０のうち列置方向ＤＬの他方端側ＤＬ２（図１において左側）に位置する端部である。
【００３６】
このような構成の電池パック１は、製造し易い電池パックとなっている。具体的には、以下のようにして電池パック１を製造することで、収納ケース２０内に電池スタック１０を収納する際に、予め収納ケース２０内に配置しておいた複数のスペーサ（第１スペーサ３０、第２スペーサ４０、及び第３スペーサ５０）が、倒れてしまう不具合を防止することができる。
【００３７】
次に、本実施形態にかかる電池パック１の製造方法について説明する。
具体的には、まず、収納ケース２０を用意する。そして、当該収納ケース２０について、列置方向ＤＬにかかる内側寸法Ｂを測定する（図６参照）。なお、本実施形態の収納ケース２０では、列置方向ＤＬにかかる内側寸法Ｂが、電池１１の寸法バラツキを考慮した電池スタック１０の列置方向寸法Ａ（列置方向ＤＬの寸法Ａ）の想定され得る最大値よりも大きくされている。すなわち、収納ケース２０内に電池スタック１０のみを配置したときには、必ず、列置方向ＤＬについて収納ケース２０の内面と電池スタック１０との間に隙間ができるようにされている。
【００３８】
また、収納ケース２０内に配置するためのスペーサ（第１スペーサ３０、第２スペーサ４０、第３スペーサ５０など）を用意する。具体的には、本体部（本体部３１，４１，５１など）の厚み（列置方向ＤＬにかかる寸法）が異なる複数種類のスペーサ（第１スペーサ３０、第２スペーサ４０、第３スペーサ５０など）を、複数個ずつ用意する。
また、列置方向ＤＬに一列に配置された複数の電池１１と、列置方向ＤＬに隣り合う電池１１の間に介在する冷却板１２と、これらを列置方向ＤＬに挟んで固定するためのエンドプレート１３，１４とを備えた、電池スタック１０を用意する（図７参照）。そして、拘束荷重付与装置（図示省略）を用いて、電池スタック１０に対し、列置方向ＤＬに規定の（一定）の拘束荷重（圧縮力）をかけ、この状態を保持する（図７参照）。
【００３９】
次いで、電池スタック１０を収納ケース２０内に収納するのに先立って、列置方向ＤＬに規定の（一定の）拘束荷重がかけられて保持された状態の電池スタック１０について、列置方向ＤＬの寸法Ａ（収納ケース２０内に配置される部位の列置方向寸法Ａ）を測定する（図７参照）。さらに、収納ケース２０の列置方向ＤＬにかかる内側寸法Ｂから電池スタック１０の列置方向寸法Ａを差し引いた差分値Ｃ（＝Ｂ−Ａ）を算出する。なお、電池スタック１０の列置方向寸法Ａの測定位置（高さ方向の位置）は、電池スタック１０を収納ケース２０内に収納したときに、収納ケース２０の内側寸法Ｂの測定位置と略同等の高さとなる位置にしている。
【００４０】
次に、スペーサの本体部の厚み（列置方向寸法）の合計が差分値Ｃとなるように、１または複数のスペーサを選択する。本実施形態では、図４及び図５に示すように、第１スペーサ３０の本体部３１と第２スペーサ４０の本体部４１と第３スペーサ５０の本体部５１とを重ね合わせたときの、本体部３１と本体部４１と本体部５１の厚み（列置方向寸法）の合計が差分値Ｃとなるように、３つのスペーサ（第１スペーサ３０と第２スペーサ４０と第３スペーサ５０）を選択する。そして、電池スタック１０を収納ケース２０内に収納するのに先立って、収納ケース２０内に、選択したスペーサを配置する（図８参照）。本実施形態では、図８に示すように、３枚のスペーサ（第１スペーサ３０と第２スペーサ４０と第３スペーサ５０）を、収納ケース２０内に配置している。すなわち、図８には、第１スペーサ３０の本体部３１の厚みと第２スペーサ４０の本体部４１の厚みと第３スペーサ５０の本体部５１の厚みとの合計が、差分値Ｃ（＝Ｂ−Ａ）となる例を示している。
【００４１】
但し、このとき、第１スペーサ３０の延出部３２を、収納ケース２０の一方端側壁部２１ｂの上端側に位置する部位（上端面２１ｆ）に掛ける（引っ掛ける）と共に、本体部３１を、一方端側壁部２１ｂの内面２１ｊに接触させた状態になるようにして、第１スペーサ３０を収納ケース２０内に配置する（図８参照）。
さらに、第２スペーサ４０の延出部４２を、一方端側壁部２１ｂ側（図８において右側）に隣接する第１スペーサ３０のうち上端側に位置する部位（本体部３１の上端面３１ｂ）と収納ケース２０の一方端側壁部２１ｂの上端側に位置する部位（上端面２１ｆ）とに掛ける（引っ掛ける）と共に、本体部４１を、一方端側壁部２１ｂ側（図８において右側）に隣接する第１スペーサ３０の本体部３１に接触させた状態になるようにして、第２スペーサ４０を収納ケース２０内に配置する。
さらに、第３スペーサ５０の延出部５２を、一方端側壁部２１ｂ側（図８において右側）に隣接する第２スペーサ４０のうち上端側に位置する部位（本体部４１の上端面４１ｂ）と第１スペーサ３０のうち上端側に位置する部位（本体部３１の上端面３１ｂ）とに掛ける（引っ掛ける）と共に、本体部５１を、一方端側壁部２１ｂ側（図８において右側）に隣接する第２スペーサ４０の本体部４１に接触させた状態になるようにして、第３スペーサ５０を収納ケース２０内に配置する。
【００４２】
このようにして、第１スペーサ３０と第２スペーサ４０と第３スペーサ５０とを、収納ケース２０の一方端側壁部２１ｂ側に重ねて配置する。
なお、本変形形態では、上述のようにして第１スペーサ３０と第２スペーサ４０と第３スペーサ５０とを収納ケース２０内に配置したときに、第１スペーサ３０の下端部、第２スペーサ４０の下端部、及び第３スペーサ５０の下端部のいずれもが、収納ケース２０の底面２０ｂ側に位置する円弧状の角部２０ｃ（一方端側壁部２１ｂと底面２０ｂとの間の角部２０ｃ）に接触しないように（角部２０ｃに届かないように）、本体部３１，４１，５１の長さを設定（短く）している。これにより、第１スペーサ３０の本体部３１を、一方端側壁部２１ｂの内面２１ｊに隙間無く接触させると共に、第１スペーサ３０と第２スペーサ４０と第３スペーサ５０とを、隙間なく重ね合わせた状態で収納ケース２０内に配置することができる。
【００４３】
このように複数のスペーサ（第１スペーサ３０と第２スペーサ４０と第３スペーサ５０）を配置することで、各々のスペーサが倒れること（詳細には、一方端側壁部２１ｂが位置する側とは反対側に倒れること、図８において左側に倒れること）を防止することができる。収納ケース２０の一方端側壁部２１ｂの上端側に位置する部位（上端面２１ｆ）、または、一方端側壁部２１ｂ側に隣接する他のスペーサのうち上端側に位置する部位（本体部４１の上端面４１ｂまたは本体部３１の上端面３１ｂ）、に掛けられている（引っ掛けられている）スペーサ（第１スペーサ３０、第２スペーサ４０、または第３スペーサ５０）の延出部（延出部３２、延出部４２、または延出部５２）が、各々のスペーサの倒れを防止する働きをするからである。
【００４４】
次いで、上述のように複数のスペーサ（第１スペーサ３０と第２スペーサ４０と第３スペーサ５０）の転倒が防止された状態で、スペーサ（１または複数のスペーサのうち列置方向ＤＬについて最も一方端側壁部２１ｂから離間して配置されたスペーサ、図８及び図９に示す例では第３スペーサ５０）と、収納ケース２０の他方端側壁部２１ｃとの間に、拘束荷重付与装置（図示省略）によって規定の（一定の）拘束荷重がかけられた状態で保持されている電池スタック１０が挟まれるように、当該電池スタック１０を収納ケース２０内に収納する。
例えば、図９に示すように、拘束荷重付与装置（図示省略）によって一定の拘束荷重がかけられた状態で保持されている電池スタック１０の下方から、複数のスペーサ（第１スペーサ３０と第２スペーサ４０と第３スペーサ５０）が内部に配置された状態の収納ケース２０を上昇させてゆき、第３スペーサ５０と収納ケース２０の他方端側壁部２１ｃとの間に電池スタック１０が挟まれるように、電池スタック１０を収納ケース２０内に収納する（図１参照）。これにより、収納ケース２０内のスペーサ（第１スペーサ３０と第２スペーサ４０と第３スペーサ５０）が倒れることを防止しつつ、スムーズに、電池スタック１０を収納ケース２０内に収納することができる。
【００４５】
その後、拘束荷重付与装置（図示省略）による電池スタック１０への拘束荷重の付与を解放する。このとき、電池スタック１０は、列置方向ＤＬについて隙間無く、収納ケース２０内に収納されている（詳細には、収納ケース２０の他方端側壁部２１ｃと第３スペーサ５０との間に隙間無く挟まれている）ので、電池スタック１０に対する規定の（一定の）拘束荷重は維持される。
【００４６】
本実施形態では、上述のようにして、２つ（２列）の電池スタック１０を、列置方向ＤＬに規定の（一定の）拘束荷重がかけられた状態で、収納ケース２０内に収納する。これにより、列置方向ＤＬに規定の（一定の）拘束荷重がかけられた状態の２つ（２列）の電池スタック１０を有する電池パック１（図１参照）を得ることができる。
以上説明したように、本実施形態の電池パック１は、製造し易い電池パックとなっている。
【００４７】
ところで、図２及び図３に示すように、第１スペーサ３０と第２スペーサ４０と第３スペーサ５０の本体部３１，４１，５１の上端面３１ｂ，４１ｂ，５１ｂは、幅方向ＤＷ（列置方向ＤＬ及び上下方向に直交する方向）について、延出部３２，４２，５２が位置する（存在する）第１部位３１ｃ，４１ｃ，５１ｃと、延出部３２，４２，５２が位置しない（存在しない）第２部位３１ｄ，４１ｄ，５１ｄとを有する。
【００４８】
さらに、第１スペーサ３０と第２スペーサ４０と第３スペーサ５０の延出部３２，４２，５２は、その基端部３２ｂ，４２ｂ，５２ｂが、本体部３１，４１，５１の上端面３１ｂ，４１ｂ，５１ｂの第１部位３１ｃ，４１ｃ，５１ｃ上に位置すると共に、その基端部３２ｂ，４２ｂ，５２ｂから本体部３１，４１，５１の厚み方向（図２及び図３において左右方向）に沿って一方端側壁部２１ｂ側（図２及び図３において右側）に真っ直ぐ延びる板状をなしている（図１参照）。換言すれば、第１スペーサ３０と第２スペーサ４０と第３スペーサ５０の延出部３２，４２，５２は、本体部３１，４１，５１の厚み方向に沿って一方端側壁部２１ｂ側に、自身の基端部３２ｂ，４２ｂ，５２ｂから先端部３２ｃ，４２ｃ，５２ｃに向かって真っ直ぐ延びる板状をなしており、各々の延出部３２，４２，５２の基端部３２ｂ，４２ｂ，５２ｂは、本体部３１，４１，５１の上端面３１ｂ，４１ｂ，５１ｂの第１部位３１ｃ，４１ｃ，５１ｃ上に位置している。
【００４９】
さらに、第１スペーサ３０と第２スペーサ４０と第３スペーサ５０の延出部３２，４２，５２は、他のスペーサの延出部に積み重なることなく、他のスペーサの延出部と幅方向ＤＷの位置が異なっている（図２及び図４参照）。そして、本体部３１が一方端側壁部２１ｂに接触する第１スペーサ３０は、延出部３２の下面を、一方端側壁部２１ｂの上端面２１ｆに接触させるようにして、収納ケース２０内に配置されている（図１参照）。さらに、第１スペーサ３０とは異なる他のスペーサ（第２スペーサ４０と第３スペーサ５０）は、延出部４２，５２の下面を、一方端側壁部２１ｂ側に隣接する他のスペーサの第２部位３１ｄまたは４１ｄに接触させるようにして、収納ケース２０内に配置されている（図１及び図４参照）。なお、図４は、第１スペーサ３０と第２スペーサ４０と第３スペーサ５０とを重ね合わせた状態の平面図（上面図）であり、図１のＥ視拡大図に相当する。
【００５０】
このようにして、複数のスペーサ（第１スペーサ３０と第２スペーサ４０と第３スペーサ５０）を、電池スタック１０の一方端部１０ｂと収納ケース２０の一方端側壁部２１ｂとの間に配置することで、各々のスペーサの延出部（延出部４２，５２）を他のスペーサの延出部（延出部３２，４２）に積み重ねるようにして配置する場合に比べて、スペーサの高さ（スペーサの上端の位置）を低くすることができ、電池パック１の高さを低くする（これにより、電池パック１を小型化する）ことが可能となる。
【００５１】
以上において、本発明を実施形態に即して説明したが、本発明は上記実施形態に限定されるものではなく、その要旨を逸脱しない範囲で、適宜変更して適用できることはいうまでもない。
例えば、図１０及び図１１に示す、変形形態１にかかる第２スペーサ１４０と第３スペーサ１５０のように、延出部１４２，１５２の先端側（図１０及び図１１において右側）に、延出部１４２，１５２よりも幅方向ＤＷの寸法が大きい幅広部１４３，１５３を設けるようにしても良い。
そして、図１２及び図１３に示すように、実施形態の第１スペーサ３０と第２スペーサ４０と第３スペーサ５０と同様に、本変形形態１の第１スペーサ１３０と第２スペーサ１４０と第３スペーサ１５０（本体部１３１と本体部１４１と本体部１５１）とを重ね合わせて、収納ケース２０内に配置したときに、第２スペーサ１４０の幅広部１４３の基端面１４３ｃを、第１スペーサ１３０の延出部１３２の先端面１３２ｃに接触させるようにして引っ掛けると共に、第３スペーサ１５０の幅広部１５３の基端面１５３ｃを、第１スペーサ１３０の延出部１３２の先端面１３２ｃに接触させるようにして引っ掛けるようにしても良い。これにより、第２スペーサ１４０と第３スペーサ１５０が、より一層、倒れ難くなる。
【００５２】
また、図１４に示す変形形態２のように、収納ケース２２０の一方端側壁部２２１ｂの上面２２１ｆと内面２２１ｊとのなす角が鋭角αとなるように、上面２２１ｆを、一方端側壁部２２１ｂの厚み方向に対して斜めの方向に延びる傾斜面とし、さらに、第１スペーサ２３０及び第２スペーサ２４０について、延出部２３２及び延出部２４２と本体部２３１及び２４１とのなす角が鋭角αとなるように、延出部２３２及び延出部２４２を本体部２３１，２４１の厚み方向に対して斜めの方向に延びるようにしても良い。
そして、第１スペーサ２３０の延出部２３２を、収納ケース２２０の一方端側壁部２２１ｂの上面２２１ｆに引っ掛けるようにして、第１スペーサ２３０を収納ケース２２０内に配置すると共に、第２スペーサ２４０の延出部２４２を、第１スペーサ２３０の延出部２３２の上面、または、一方端側壁部２２１ｂの上面２２１ｆに引っ掛けるようにして、第２スペーサ２４０を収納ケース２２０内に配置するようにしても良い。
これにより、第１スペーサ２３０及び第２スペーサ２４０が、より一層、倒れ難くなる。
【００５３】
また、図１５に示す変形形態３のように、収納ケース３２０の一方端側壁部３２１ｂの上部のうち内面３２１ｊ側を削除するようにして、一方端側壁部３２１ｂの上部を段差形状とし、一方端側壁部３２１ｂの上面３２１ｆよりも下方に段差面３２１ｈを設け、段差面３２１ｈに、第１スペーサ３３０の延出部３３２を段差面３２１ｈに掛ける（引っ掛ける）と共に、第１スペーサ３３０の本体部３３１を一方端側壁部３２１ｂの内面３２１ｊに接触させるようにして、第１スペーサ３３０を収納ケース３２０内に配置するようにしても良い。
さらには、第２スペーサ３４０の延出部３４２を第１スペーサ３３０の延出部３３２に掛ける（引っ掛ける）と共に、第２スペーサ３４０の本体部３４１を第１スペーサ３３０の本体部３３１に接触させるようにして、第２スペーサ３４０を収納ケース３２０内に配置するようにしても良い。さらに、第３スペーサ３５０の延出部３５２を第２スペーサ３４０の延出部３４２に掛ける（引っ掛ける）と共に、第３スペーサ３５０の本体部３５１を第２スペーサ３４０の本体部３４１に接触させるようにして、第３スペーサ３５０を収納ケース３２０内に配置するようにしても良い。
これにより、スペーサが収納ケース３２０の上面３２１ｆよりも上方にはみ出すことを防止することができる。
【符号の説明】
【００５４】
１  電池パック
１０  電池スタック
１０ｂ  一方端部
１０ｃ  他方端部
１１  電池
１２  冷却板
１３，１４  エンドプレート
２０  収納ケース
２１  壁部
２１ｂ  一方端側壁部
２１ｃ  他方端側壁部
３０，１３０，２３０，３３０  第１スペーサ
４０，１４０，２４０，３４０  第２スペーサ
５０，１５０，３５０  第３スペーサ
３１，４１，５１，１３１，１４１，１５１，２３１，２４１，３３１，３４１，３５１  本体部
３２，４２，５２，１３２，１４２，１５２，２３２，２４２，３３２，３４２，３５２  延出部
【図１】
2020077530.tif 000003
【図２】
2020077530.tif 000004
【図３】
2020077530.tif 000005
【図４】
2020077530.tif 000006
【図５】
2020077530.tif 000007
【図６】
2020077530.tif 000008
【図７】
2020077530.tif 000009
【図８】
2020077530.tif 000010
【図９】
2020077530.tif 000011
【図１０】
2020077530.tif 000012
【図１１】
2020077530.tif 000013
【図１２】
2020077530.tif 000014
【図１３】
2020077530.tif 000015
【図１４】
2020077530.tif 000016
【図１５】
2020077530.tif 000017